(57)【要約】【課題】  遊技者側やホール側が有利・不利になることなくパチンコ球の転動方向に影響を与える役物を有したパチンコ機を提供すること。【解決手段】  第２種中央役物１では、可動ベルト５が、第２種Ｖゾーン６に隣接する右端部の位置が背面通路４に隣接する左端部の位置より低い状態で配置されている。さらに、可動ベルト５は、パチンコ球が転動し得る上側のベルトに関しては、第２種Ｖゾーン６に隣接する右端部の位置から背面通路４に隣接する左端部の位置に向かう矢印Ｆ１に向かって移動している。従って、背面通路４に隣接する可動ベルト５の左端側から可動ベルト５に落下したパチンコ球は、可動ベルト５の移動方向である矢印Ｆ１に逆らって、背面通路４に隣接する左端側から第２種Ｖゾーン６に隣接する右端側に転動する際に、可動ベルト５に落下されるときの速度や回転などに応じて、可動ベルト５の途中又は右端部から無作為に落下する。【選択図】  図１
2005334366.tif 000002
【特許請求の範囲】
【請求項１】
透明板と、
前記透明板に対向して配設された遊技盤と、
前記遊技盤に設けられた中央役物と、
前記中央役物に設けられた可動ベルトと、
前記可動ベルトの一端側の下方で前記遊技盤に配設された第１種始動口と、
前記可動ベルトにパチンコ球を載上させるために前記可動ベルトの他端側の上方に配設された載上手段と、を備え、
前記可動ベルトは、一端部の位置が他端部の位置より低い状態で配置されるとともに、一端側から他端側に向かって回転すること、を特徴とするパチンコ機。
【請求項２】
透明板と、
前記透明板に対向して配設された遊技盤と、
前記遊技盤に設けられた中央役物と、
前記中央役物に設けられた可動ベルトと、
前記可動ベルトの一端側の下方で前記中央役物に配設された第２種Ｖゾーンと、
前記可動ベルトにパチンコ球を載上させるために前記可動ベルトの他端側の上方に配設された載上手段と、を備え、
前記可動ベルトは、一端部の位置が他端部の位置より低い状態で配置されるとともに、一端側から他端側に向かって回転すること、を特徴とするパチンコ機。
【請求項３】
請求項１又は請求項２に記載するパチンコ機であって、
前記可動ベルトは、前記透明板に向かって下方に傾斜した状態で配置されたこと、を特徴とするパチンコ機。
【請求項４】
請求項１乃至請求項３のいずれか一つに記載するパチンコ機であって、
前記中央役物に設けられるとともにパチンコ球の転動が可能なワープ通路を備え、
前記ワープ通路の出口を前記載上手段として使用したこと、を特徴とするパチンコ機。
【請求項５】
請求項１乃至請求項４のいずれか一つに記載するパチンコ機であって、
前記中央役物に設けられた可変表示装置を備えたこと、を特徴とするパチンコ機。
【請求項６】
請求項１乃至請求項５のいずれか一つに記載するパチンコ機であって、
前記可動ベルトの下側に形成される空間と前記遊技盤の側とを遮る保護パネルを備えたこと、を特徴とするパチンコ機。
【請求項７】
請求項１乃至請求項６のいずれか一つに記載するパチンコ機であって、
前記可動ベルトの下側に形成される空間の高さがパチンコ球の直径よりも小さいこと、を特徴とするパチンコ機。
【請求項８】
請求項１乃至請求項７のいずれか一つに記載するパチンコ機であって、
前記可動ベルトの上下間がパチンコ球の直径よりも小さいこと、を特徴とするパチンコ機。
【請求項９】
請求項１乃至請求項８のいずれか一つに記載するパチンコ機であって、
前記可動ベルトは、前記透明板に対しパチンコ球の直径よりも大きい間隔を確保しつつ、前記遊技盤から突出させたこと、を特徴とするパチンコ機。
【請求項１０】
請求項１乃至請求項９のいずれか一つに記載するパチンコ機であって、
前記可動ベルトの下方の位置で前記遊技盤に配設された遊技釘を備え、
前記可動ベルトと前記透明板との間隔をパチンコ球の直径よりも大きくさせたこと、を特徴とするパチンコ機。
【請求項１１】
請求項１乃至請求項１０のいずれか一つに記載するパチンコ機であって、
前記可動ベルトの表面は、摩擦抵抗の高い素材で構成されていること、を特徴とするパチンコ機。
【請求項１２】
請求項１乃至請求項１１のいずれか一つに記載するパチンコ機であって、
前記可動ベルトの表面に形成された複数の凸部を備えたこと、を特徴とするパチンコ機。
【請求項１３】
請求項１乃至請求項１２のいずれか一つに記載するパチンコ機であって、
前記可動ベルトの裏面に付設された磁性体を備えたこと、を特徴とするパチンコ機。
【請求項１４】
請求項１乃至請求項１３のいずれか一つに記載するパチンコ機であって、
前記駆動源の作動を電源投入後に確認する作動確認手段を備えたこと、を特徴とするパチンコ機。
【請求項１５】
請求項１４に記載するパチンコ機であって、
前記作動確認手段を割り込み処理で実行させたこと、を特徴とするパチンコ機。
【発明の詳細な説明】
【技術分野】
【０００１】
本発明は、パチンコ球の転動方向に影響を与えるベルトを有したパチンコ機に関するものである。
【背景技術】
【０００２】
従来のパチンコ機には、例えば、パチンコ球に接触抵抗を付与する抵抗部材として、一対の回転するベルトを設け、一対のベルトの回転速度を制御することで、一対のベルト間に挟まれたパチンコ球の落下速度を任意に設定したり、一対のベルトの回転速度を異なるもので制御することで、一対のベルト間に挟まれたパチンコ球の落下方向を任意に設定したりしている（例えば、特許文献１参照）。
【特許文献１】特開平１０−２７７２１８号公報
【発明の開示】
【発明が解決しようとする課題】
【０００３】
しかしながら、パチンコ球の落下方向を入賞口などの方向に向くように、一対のベルトの回転速度を制御すれば、パチンコ球の入賞率は高くなることから、遊技者側は有利となる一方でホール側は不利となる。その反対に、パチンコ球の落下方向を入賞口などの方向に向かないように、一対のベルトの回転速度を制御すれば、パチンコ球の入賞率は低くなることから、遊技者側は不利となる一方でホール側は有利となる。
【０００４】
そこで、本発明は、上述した点を鑑みてなされたものであり、遊技者側やホール側が有利・不利になることなくパチンコ球の転動方向に影響を与える役物を有したパチンコ機を提供することを課題とする。
【課題を解決するための手段】
【０００５】
この課題を解決するために成された請求項１に係る発明は、パチンコ機であって、透明板と、前記透明板に対向して配設された遊技盤と、前記遊技盤に設けられた中央役物と、前記中央役物に設けられた可動ベルトと、前記可動ベルトの一端側の下方で前記遊技盤に配設された第１種始動口と、前記可動ベルトにパチンコ球を載上させるために前記可動ベルトの他端側の上方に配設された載上手段と、を備え、前記可動ベルトは、一端部の位置が他端部の位置より低い状態で配置されるとともに、一端側から他端側に向かって回転すること、を特徴としている。
【０００６】
また、請求項２に係る発明は、パチンコ機であって、透明板と、前記透明板に対向して配設された遊技盤と、前記遊技盤に設けられた中央役物と、前記中央役物に設けられた可動ベルトと、前記可動ベルトの一端側の下方で前記中央役物に配設された第２種Ｖゾーンと、前記可動ベルトにパチンコ球を載上させるために前記可動ベルトの他端側の上方に配設された載上手段と、を備え、前記可動ベルトは、一端部の位置が他端部の位置より低い状態で配置されるとともに、一端側から他端側に向かって回転すること、を特徴としている。
【０００７】
また、請求項３に係る発明は、請求項１又は請求項２に記載するパチンコ機であって、前記可動ベルトは、前記透明板に向かって下方に傾斜した状態で配置されたこと、を特徴としている。
【０００８】
また、請求項４に係る発明は、請求項１乃至請求項３のいずれか一つに記載するパチンコ機であって、前記中央役物に設けられるとともにパチンコ球の転動が可能なワープ通路を備え、前記ワープ通路の出口を前記載上手段として使用したこと、を特徴としている。
【０００９】
また、請求項５に係る発明は、請求項１乃至請求項４のいずれか一つに記載するパチンコ機であって、前記中央役物に設けられた可変表示装置を備えたこと、を特徴としている。
【００１０】
また、請求項６に係る発明は、請求項１乃至請求項５のいずれか一つに記載するパチンコ機であって、前記可動ベルトの下側に形成される空間と前記遊技盤の側とを遮る保護パネルを備えたこと、を特徴としている。
【００１１】
また、請求項７に係る発明は、請求項１乃至請求項６のいずれか一つに記載するパチンコ機であって、前記可動ベルトの下側に形成される空間の高さがパチンコ球の直径よりも小さいこと、を特徴としている。
【００１２】
また、請求項８に係る発明は、請求項１乃至請求項７のいずれか一つに記載するパチンコ機であって、前記可動ベルトの上下間がパチンコ球の直径よりも小さいこと、を特徴としている。
【００１３】
また、請求項９に係る発明は、請求項１乃至請求項８のいずれか一つに記載するパチンコ機であって、前記可動ベルトは、前記透明板に対しパチンコ球の直径よりも大きい間隔を確保しつつ、前記遊技盤から突出させたこと、を特徴としている。
【００１４】
また、請求項１０に係る発明は、請求項１乃至請求項９のいずれか一つに記載するパチンコ機であって、前記可動ベルトの下方の位置で前記遊技盤に配設された遊技釘を備え、前記可動ベルトと前記透明板との間隔をパチンコ球の直径よりも大きくさせたこと、を特徴としている。
【００１５】
また、請求項１１に係る発明は、請求項１乃至請求項１０のいずれか一つに記載するパチンコ機であって、前記可動ベルトの表面は、摩擦抵抗の高い素材で構成されていること、を特徴としている。
【００１６】
また、請求項１２に係る発明は、請求項１乃至請求項１１のいずれか一つに記載するパチンコ機であって、前記可動ベルトの表面に形成された複数の凸部を備えたこと、を特徴としている。
【００１７】
また、請求項１３に係る発明は、請求項１乃至請求項１２のいずれか一つに記載するパチンコ機であって、前記可動ベルトの裏面に付設された磁性体を備えたこと、を特徴としている。
【００１８】
また、請求項１４に係る発明は、請求項１乃至請求項１３のいずれか一つに記載するパチンコ機であって、前記駆動源の作動を電源投入後に確認する作動確認手段を備えたこと、を特徴としている。
【００１９】
また、請求項１５に係る発明は、請求項１４に記載するパチンコ機であって、前記作動確認手段を割り込み処理で実行させたこと、を特徴としている。
【発明の効果】
【００２０】
すなわち、本発明のパチンコ機では、可動ベルトが、一端部の位置が他端部の位置より低い状態で配置されるとともに、一端側から他端側に向かって回転しており、可動ベルトの他端側から可動ベルトに載上されたパチンコ球は、可動ベルトの回転方向に逆らって、他端側から一端側に転動する際に、可動ベルトに載上されるときの速度や回転などに応じて、可動ベルトから無作為に落下するので、遊技者側やホール側が有利・不利になることなくパチンコ球の転動方向に影響を与えることができる。
【発明を実施するための最良の形態】
【００２１】
以下、本発明の実施の形態を図面を参照にして説明する。
先ず、第１実施の形態のパチンコ機について説明する。
図１は、第１実施の形態である第２種のパチンコ機の遊技盤の中央に配設される第２種中央役物を示した斜視図である。図１に示すように、第２種中央役物１には、その中央上部付近において、一対の開閉翼２Ａ，２Ｂが軸支されている。また、一対の開閉翼２Ａ，２Ｂの間には、背面に向かって下りに傾斜した受皿３が配設されている。また、受皿３は、第２種中央役物１の背面側に内設されるとともにパチンコ球が流下することが可能な背面通路４に連通している。
【００２２】
また、背面通路４は、第２種中央役物１の中央左側端部にまで導かれる。そして、背面通路４の下方においては、第２種中央役物１の中央左側端部付近から中央右側端部付近に向かって下りに傾斜した可動ベルト５が設けられている。さらに、可動ベルト５の右側下方にあって、第２種中央役物１の中央右側端部には、第２種Ｖゾーン６が設けられている。また、可動ベルト５の正面側下方にあって、第２種中央役物１の中央下部には、役物内入賞口７が設けられている。
【００２３】
従って、図２に示すように、開閉翼２Ａ，２Ｂが開放されている際に進入したパチンコ球は、受皿３を介して、背面通路４を流下した後、可動ベルト５に落下する。
【００２４】
この点、可動ベルト５は、上述したように、背面通路４から第２種Ｖゾーン６に向けて下りに傾斜している。その一方で、可動ベルト５の移動方向は、パチンコ球が転動し得る上側のベルトに関しては、第２種Ｖゾーン６から背面通路４に向かった矢印Ｆ１である。さらに、可動ベルト５は、第２種中央役物１の奥側から正面に向けて下りに傾斜している。
【００２５】
従って、可動ベルト５に落下したパチンコ球は、その落下した際の転動方向や可動ベルト５の下り傾斜によって、背面通路４から第２種Ｖゾーン６に向けて可動ベルト５上を転動しようとするが、可動ベルト５の移動方向である矢印Ｆ１とは反対方向であるため、一部のパチンコ球しか可動ベルト５の右端から第２種Ｖゾーン６に落下することができず、残りのパチンコ球は、可動ベルト５の奥側から正面に向けての下り傾斜によって、可動ベルト５の途中から役物内入賞口７に落下することになる。
【００２６】
ここで、図３に第２種中央役物１の筐体１１の三面図（第三角法による正面図・平面図・側面図をあわせて表したもの。以下、同じ。）を示す。また、図４に可動ベルト５の駆動源であるモータ２１の三面図を示し、図５に可動ベルト５の一方のプーリー３１の二面図（第三角法による正面図・側面図をあわせて表したもの。以下、同じ。）を示し、図６に可動ベルト５の他方のプーリー４１の二面図を示す。
【００２７】
尚、図３の筐体１１の軸穴１２に対しては、図６の他方のプーリー４１の軸４２が軸支される。また、図３の筐体１１の軸穴１３に対しては、図５の一方のプーリー３１の軸３２が軸支され、さらに、その軸３２に対しては、図４のモーター２１の駆動軸２２が直結される。
【００２８】
また、図１０に、第１実施の形態に係るパチンコ機５１の正面図を示す。図１０に示すように、可動ベルト５の正面にはガラス５３が配置される。また、第１実施の形態に係るパチンコ機１の遊技盤５２の正面図を図７に示し、当該遊技盤５１の平面図を図８に示し、当該遊技盤１０１の側面図を図９に示す。
【００２９】
以上詳細に説明したように、第１実施の形態のパチンコ機５１の第２種中央役物１では、可動ベルト５が、ガラス５３の面に向かって下方に傾斜した状態で、且つ、第２種Ｖゾーン６に隣接する右端部の位置が背面通路４に隣接する左端部の位置より低い状態で配置されている。さらに、可動ベルト５は、パチンコ球が転動し得る上側のベルトに関しては、第２種Ｖゾーン６に隣接する右端部の位置から背面通路４に隣接する左端部の位置に向かう矢印Ｆ１に向かって移動している。従って、背面通路４に隣接する可動ベルト５の左端側から可動ベルト５に落下したパチンコ球は、可動ベルト５の移動方向である矢印Ｆ１に逆らって、背面通路４に隣接する左端側から第２種Ｖゾーン６に隣接する右端側へ転動する際に、可動ベルト５に落下されるときの速度や回転などに応じて、可動ベルト５の途中又は右端部から無作為に落下するので、遊技者側やホール側が有利・不利になることなくパチンコ球の転動方向に影響を与えることができる。
【００３０】
尚、第１実施の形態のパチンコ機５１の第２種中央役物１では、可動ベルト５が、第２種Ｖゾーン６に隣接する右端部の位置が背面通路４に隣接する左端部の位置より低い状態で配置されているが、逆に、第２種Ｖゾーン６に隣接する右端部の位置が背面通路４に隣接する左端部の位置より高い状態で配置されてもよい。
【００３１】
次に、第２実施の形態のパチンコ機について説明する。
図１１は、第２実施の形態である第１種のパチンコ機の遊技盤の中央に配設される第１種中央役物を示した斜視図である。図１１に示すように、第１種中央役物１０１には、その正面の左側中央付近において、特別図柄などを表示する液晶表示装置１０２が配設されている。
【００３２】
また、第１種中央役物１０１の右端面の中央付近には、パチンコ球が通過することが可能なワープ入口１０３Ａが形成されている。そして、ワープ入口１０３Ａは、パチンコ球が流下し得るように第１種中央役物１０１にその一部が貫通されたワープ通路１０４Ａに連通している。一方、第１種中央役物１０１の正面の右側下部付近には、ワープ通路１０４Ａに連通するとともにパチンコ球が通過することが可能なワープ出口１０５Ａが形成されている。
【００３３】
また、ワープ出口１０５Ａの下方には、液晶表示装置１０２の下方中央に向かって下りに傾斜した可動ベルト１０６Ａが形成されている。さらに、可動ベルト１０６Ａの左端側の下方であって、液晶表示装置１０２の下方中央には、奥側から正面に向かって下りに傾斜したパチンコ球が流下し得る中央通路１０７が形成されている。
【００３４】
従って、ワープ入口１０３Ａに進入したパチンコ球は、ワープ通路１０４Ａを介して、ワープ出口１０５Ａから放出され、可動ベルト１０６Ａ上に落下する。
【００３５】
この点、可動ベルト１０６Ａは、上述したように、ワープ出口１０５Ａから中央通路１０７に向けて下りに傾斜している。その一方で、可動ベルト１０６Ａの移動方向は、パチンコ球が転動し得る上側のベルトに関しては、中央通路１０７からワープ出口１０５Ａに向かった矢印Ｆ２Ａである。さらに、可動ベルト１０６Ａは、第１種中央役物１０１の奥側から正面に向けて下りに傾斜している。
【００３６】
従って、可動ベルト１０６Ａに落下したパチンコ球は、その落下した際の転動方向や可動ベルト１０６Ａの下り傾斜によって、ワープ出口１０５Ａから中央通路１０７に向けて可動ベルト１０６Ａ上を転動しようとするが、可動ベルト１０６Ａの移動方向である矢印Ｆ２Ａとは反対方向であるため、一部のパチンコ球しか可動ベルト１０６Ａの左端から中央通路１０７に落下することができず、残りのパチンコ球は、可動ベルト１０６Ａの奥側から正面に向けての下り傾斜によって、可動ベルト１０６Ａの途中から落下することになる。
【００３７】
また、同様にして、第１種中央役物１０１の左端面の中央付近には、パチンコ球が通過することが可能なワープ入口１０３Ｂが形成されている。そして、ワープ入口１０３Ｂは、パチンコ球が流下し得るように第１種中央役物１０１にその一部が貫通されたワープ通路１０４Ｂに連通している。一方、第１種中央役物１０１の正面の左側下部付近には、ワープ通路１０４Ｂに連通するとともにパチンコ球が通過することが可能なワープ出口１０５Ｂが形成されている。
【００３８】
また、ワープ出口１０５Ｂの下方には、液晶表示装置１０２の下方中央に向かって下りに傾斜した可動ベルト１０６Ｂが形成されている。さらに、可動ベルト１０６Ｂの右端側の下方であって、液晶表示装置１０２の下方中央には、パチンコ球が流下し得る上記中央通路１０７が形成されている。
【００３９】
従って、ワープ入口１０３Ｂに進入したパチンコ球は、ワープ通路１０４Ｂを介して、ワープ出口１０５Ｂから放出され、可動ベルト１０６Ｂ上に落下する。
【００４０】
この点、可動ベルト１０６Ｂは、上述したように、ワープ出口１０５Ｂから中央通路１０７に向けて下りに傾斜している。その一方で、可動ベルト１０６Ｂの移動方向は、パチンコ球が転動し得る上側のベルトに関しては、中央通路１０７からワープ出口１０５Ｂに向かった矢印Ｆ２Ｂである。さらに、可動ベルト１０６Ｂは、第１種中央役物１０１の奥側から正面に向けて下りに傾斜している。
【００４１】
従って、可動ベルト１０６Ｂに落下したパチンコ球は、その落下した際の転動方向や可動ベルト１０６Ｂの下り傾斜によって、ワープ出口１０５Ｂから中央通路１０７に向けて可動ベルト１０６Ｂ上を転動しようとするが、可動ベルト１０６Ｂの移動方向である矢印Ｆ２Ｂとは反対方向であるため、一部のパチンコ球しか可動ベルト１０６Ｂの右端から中央通路１０７に落下することができず、残りのパチンコ球は、可動ベルト１０６Ｂの奥側から正面に向けての下り傾斜によって、可動ベルト１０６Ｂの途中から落下することになる。
【００４２】
ここで、図１２に第１種中央役物１０１の筐体１１１の三面図を示す。また、図１３に可動ベルト１０６Ａ，１０６Ｂの駆動源であるモータ１２１の三面図を示し、図１４に可動ベルト１０６Ａ，１０６Ｂの一方のプーリー１３１の二面図を示し、図１５に可動ベルト１０６Ａ，１０６Ｂの他方のプーリー１４１の二面図を示し、図１６に歯車１５１の二面図を示す。
【００４３】
尚、図１２の筐体１１１の軸穴１１２Ａ，１１２Ｂに対しては、図１４の一方のプーリー１３１の軸１３２が軸支され、さらに、それらの軸１３２に対しては、図１６の歯車１５１の軸穴１５２がそれぞれ嵌め込まれる。また、図１２の筐体１１１の軸穴１１２Ａに軸支された図１４の一方のプーリー１３１の軸１３２に対しては、図１３のモーター１２１の駆動軸１２２が直結される。一方、図１２の筐体１１１の軸穴１１３Ａ，１１３Ｂに対しては、図１５の他方のプーリー１４１の軸１４２が軸支される。
【００４４】
このように組み付けられた際の第１種中央役物１０１の正面図を図２０に示す。また、当該第１種中央役物１０１の平面図を図２１に示す。また、当該第１種中央役物１０１の側面図を図２２に示す。すなわち、図２０〜図２１に示すように、モーター１２１の駆動すると、図１２の筐体１１１の軸穴１１２Ａに軸支された一方のプーリー１３１が回転するとともに、歯車１５１，１５１を介して、図１２の筐体１１１の軸穴１１２Ｂに軸支された一方のプーリー１３１も回転するので、可動ベルト１０６Ａ，１０６Ｂを回転移動させることができる。
【００４５】
また、図２３に、第２実施の形態に係るパチンコ機１５１の正面図を示す。図２３に示すように、可動ベルト１０６Ａ，１０６Ｂの正面にはガラス１５３が配置され、中央通路１０７の下方には第１種始動口１５４が配設されている。従って、中央通路１０７からパチンコ球が落下すると、当該パチンコ球は第１種始動口１５４に向かうことになり、遊技者側にとって有利な状態になる。また、第２実施の形態に係るパチンコ機１５１の遊技盤１５２の正面図を図１７に示し、当該遊技盤１５１の平面図を図１８に示し、当該遊技盤１５２の側面図を図１９に示す。
【００４６】
以上詳細に説明したように、第２実施の形態のパチンコ機１５１の第１種中央役物１０１では、可動ベルト１０６Ａ，１０６Ｂが、ガラス１５３の面に向かって下方に傾斜した状態で、且つ、中央通路１０７に隣接する端部の位置がワープ出口１０５Ａ，１０５Ｂに隣接する端部の位置より低い状態で配置されている。さらに、可動ベルト１０６Ａ，１０６Ｂは、パチンコ球が転動し得る上側のベルトに関しては、中央通路１０７に隣接する端部の位置からワープ出口１０５Ａ，１０５Ｂに隣接する端部の位置に向かう矢印Ｆ２Ａ，Ｆ２Ｂに向かって移動している。従って、ワープ出口１０５Ａ，１０５Ｂに隣接する可動ベルト１０６Ａ，１０６Ｂの端側から可動ベルト１０６Ａ，１０６Ｂに落下したパチンコ球は、可動ベルト１０６Ａ，１０６Ｂの移動方向である矢印Ｆ２Ａ，Ｆ２Ｂに逆らって、ワープ出口１０５Ａ，１０５Ｂに隣接する端部から中央通路１０７に隣接する端部へ転動する際に、可動ベルト１０６Ａ，１０６Ｂに落下されるときの速度や回転などに応じて、可動ベルト１０６Ａ，１０６Ｂの途中又は中央通路１０７に隣接する端部から無作為に落下するので、遊技者側やホール側が有利・不利になることなくパチンコ球の転動方向に影響を与えることができる。
【００４７】
また、第２実施の形態のパチンコ機１５１では、図２２に示すように、可動ベルト１０６Ａ，１０６Ｂが第１種中央役物１０１の筐体１１１から突出させ、また、可動ベルト１０６Ａ，１０６Ｂとガラス１５３の間をパチンコ球が通過し得る距離を確保する。これにより、可動ベルト１０６Ａ，１０６Ｂの途中から落下したパチンコ球を遊技盤１５２に放出させることができる。
【００４８】
次に、第３実施の形態のパチンコ機について説明する。
図２４は、第３実施の形態である第１種のパチンコ機の遊技盤の中央に配設される第１種中央役物を示した斜視図である。図２４に示すように、第１種中央役物２０１には、その正面の左側中央付近において、特別図柄などを表示する液晶表示装置２０２が配設されている。
【００４９】
また、第１種中央役物２０１の右端面の中央付近には、パチンコ球が通過することが可能なワープ入口２０３Ａが形成されている。そして、ワープ入口２０３Ａは、パチンコ球が流下し得るように第１種中央役物２０１にその一部が貫通されたワープ通路２０４Ａに連通している。一方、第１種中央役物２０１の正面の右側下部付近には、ワープ通路２０４Ａに連通するとともにパチンコ球が通過することが可能なワープ出口２０５Ａが形成されている。
【００５０】
また、ワープ出口２０５Ａの下方には、液晶表示装置２０２の下方中央に向かって下りに傾斜した可動ベルト２０６Ａが形成されている。さらに、可動ベルト２０６Ａの左端側の下方であって、液晶表示装置２０２の下方中央には、奥側から正面に向かって下りに傾斜したパチンコ球が流下し得る中央通路２０７が形成されている。
【００５１】
尚、可動ベルト２０６Ａの正面側には、保護カバー２０８Ａが立設されている。
【００５２】
従って、ワープ入口２０３Ａに進入したパチンコ球は、ワープ通路２０４Ａを介して、ワープ出口２０５Ａから放出され、可動ベルト２０６Ａ上に落下する。
【００５３】
この点、可動ベルト２０６Ａは、上述したように、ワープ出口２０５Ａから中央通路２０７に向けて下りに傾斜している。その一方で、可動ベルト２０６Ａの移動方向は、パチンコ球が転動し得る上側のベルトに関しては、中央通路２０７からワープ出口２０５Ａに向かった矢印Ｆ３Ａである。さらに、可動ベルト２０６Ａは、第１種中央役物２０１の奥側から正面に向けて下りに傾斜している。
【００５４】
従って、可動ベルト２０６Ａに落下したパチンコ球は、その落下した際の転動方向や可動ベルト２０６Ａの下り傾斜によって、ワープ出口２０５Ａから中央通路２０７に向けて可動ベルト２０６Ａ上を転動しようとするが、可動ベルト２０６Ａの移動方向である矢印Ｆ３Ａとは反対方向であるため、一部のパチンコ球しか可動ベルト２０６Ａの左端から中央通路２０７に落下することができず、残りのパチンコ球は、可動ベルト２０６Ａの奥側から正面に向けての下り傾斜によって、可動ベルト２０６Ａの途中から落下することになる。
【００５５】
また、同様にして、第１種中央役物２０１の左端面の中央付近には、パチンコ球が通過することが可能なワープ入口２０３Ｂが形成されている。そして、ワープ入口２０３Ｂは、パチンコ球が流下し得るように第１種中央役物２０１にその一部が貫通されたワープ通路２０４Ｂに連通している。一方、第１種中央役物２０１の正面の左側下部付近には、ワープ通路２０４Ｂに連通するとともにパチンコ球が通過することが可能なワープ出口２０５Ｂが形成されている。
【００５６】
また、ワープ出口２０５Ｂの下方には、液晶表示装置２０２の下方中央に向かって下りに傾斜した可動ベルト２０６Ｂが形成されている。さらに、可動ベルト２０６Ｂの右端側の下方であって、液晶表示装置２０２の下方中央には、パチンコ球が流下し得る上記中央通路２０７が形成されている。
【００５７】
尚、可動ベルト２０６Ｂの正面側には、保護カバー２０８Ｂが立設されている。
【００５８】
従って、ワープ入口２０３Ｂに進入したパチンコ球は、ワープ通路２０４Ｂを介して、ワープ出口２０５Ｂから放出され、可動ベルト２０６Ｂ上に落下する。
【００５９】
この点、可動ベルト２０６Ｂは、上述したように、ワープ出口２０５Ｂから中央通路２０７に向けて下りに傾斜している。その一方で、可動ベルト２０６Ｂの移動方向は、パチンコ球が転動し得る上側のベルトに関しては、中央通路２０７からワープ出口２０５Ｂに向かった矢印Ｆ３Ｂである。さらに、可動ベルト２０６Ｂは、第１種中央役物２０１の奥側から正面に向けて下りに傾斜している。
【００６０】
従って、可動ベルト２０６Ｂに落下したパチンコ球は、その落下した際の転動方向や可動ベルト２０６Ｂの下り傾斜によって、ワープ出口２０５Ｂから中央通路２０７に向けて可動ベルト２０６Ｂ上を転動しようとするが、可動ベルト２０６Ｂの移動方向である矢印Ｆ３Ｂとは反対方向であるため、一部のパチンコ球しか可動ベルト２０６Ｂの右端から中央通路２０７に落下することができず、残りのパチンコ球は、可動ベルト２０６Ｂの奥側から正面に向けての下り傾斜によって、可動ベルト２０６Ｂの途中から落下することになる。
【００６１】
ここで、図２５に第１種中央役物２０１の筐体２１１の三面図を示す。また、図２６に可動ベルト２０６Ａ，２０６Ｂの駆動源であるモータ２２１の三面図を示し、図２７に可動ベルト２０６Ａ，２０６Ｂの一方のプーリー２３１の二面図を示し、図２８に可動ベルト２０６Ａ，２０６Ｂの他方のプーリー２４１の二面図を示し、図２９に歯車２５１の二面図を示す。
【００６２】
尚、図２５の筐体２１１の軸穴２１２Ａ，２１２Ｂに対しては、図２７の一方のプーリー２３１の軸２３２が軸支され、さらに、それらの軸２３２に対しては、図２９の歯車２５１の軸穴２５２がそれぞれ嵌め込まれる。また、図２５の筐体２１１の軸穴２１２Ａに軸支された図２７の一方のプーリー２３１の軸２３２に対しては、図２６のモーター２２１の駆動軸２２２が直結される。一方、図２５の筐体２１１の軸穴２１３Ａ，２１３Ｂに対しては、図２８の他方のプーリー２４１の軸２４２が軸支される。
【００６３】
このように組み付けられた際の第１種中央役物２０１の正面図を図３３に示す。また、当該第１種中央役物２０１の平面図を図３４に示す。また、当該第１種中央役物２０１の側面図を図３５に示す。すなわち、図３３〜図３５に示すように、モーター２２１が駆動すると、図２５の筐体２１１の軸穴２１２Ａに軸支された一方のプーリー２３１が回転するとともに、歯車２５１，２５１を介して、図２５の筐体２１１の軸穴２１２Ｂに軸支された一方のプーリー２３１も回転するので、可動ベルト２０６Ａ，２０６Ｂを回転移動させることができる。
【００６４】
また、図３６に、第３実施の形態に係るパチンコ機２５１の正面図を示す。図３６に示すように、可動ベルト２０６Ａ，２０６Ｂの正面にはガラス２５３が配置され、中央通路２０７の下方には第１種始動口２５４が配設されている。従って、中央通路２０７からパチンコ球が落下すると、当該パチンコ球は第１種始動口２５４に向かうことになり、遊技者側にとって有利な状態になる。また、第３実施の形態に係るパチンコ機２５１の遊技盤２５２の正面図を図３０に示し、当該遊技盤２５１の平面図を図３１に示し、当該遊技盤２５２の側面図を図３２に示す。
【００６５】
以上詳細に説明したように、第３実施の形態のパチンコ機２５１の第１種中央役物２０１では、可動ベルト２０６Ａ，２０６Ｂが、ガラス２５３の面に向かって下方に傾斜した状態で、且つ、中央通路２０７に隣接する端部の位置がワープ出口２０５Ａ，２０５Ｂに隣接する端部の位置より低い状態で配置されている。さらに、可動ベルト２０６Ａ，２０６Ｂは、パチンコ球が転動し得る上側のベルトに関しては、中央通路２０７に隣接する端部の位置からワープ出口２０５Ａ，２０５Ｂに隣接する端部の位置に向かう矢印Ｆ３Ａ，Ｆ３Ｂに向かって移動している。従って、ワープ出口２０５Ａ，２０５Ｂに隣接する可動ベルト２０６Ａ，２０６Ｂの端側から可動ベルト２０６Ａ，２０６Ｂに落下したパチンコ球は、可動ベルト２０６Ａ，２０６Ｂの移動方向である矢印Ｆ３Ａ，Ｆ３Ｂに逆らって、ワープ出口２０５Ａ，２０５Ｂに隣接する端部から中央通路２０７に隣接する端部へ転動する際に、可動ベルト２０６Ａ，２０６Ｂに落下されるときの速度や回転などに応じて、可動ベルト２０６Ａ，２０６Ｂの途中又は中央通路２０７に隣接する端部から無作為に落下するので、遊技者側やホール側が有利・不利になることなくパチンコ球の転動方向に影響を与えることができる。
【００６６】
また、第３実施の形態のパチンコ機２５１では、図３５に示すように、可動ベルト２０６Ａ，２０６Ｂが第１種中央役物２０１の筐体２１１から突出しておらず、また、可動ベルト２０６Ａ，２０６Ｂとガラス２５３の間をパチンコ球が通過し得る距離を確保している。さらに、可動ベルト２０６Ａ，２０６Ｂの下側には、図３３に示すように、複数の遊技釘２５５が列設されている。これにより、複数の遊技釘２５５に衝突したパチンコ球が可動ベルト２０６Ａ，２０６Ｂに飛び乗ることが妨げられることはない。
【００６７】
また、第３実施の形態のパチンコ機２５１では、可動ベルト２０６Ａ，２０６Ｂの正面側には、保護カバー２０８Ａ，２０８Ｂが立設されている。また、可動ベルト２０６Ａ，２０６Ｂにおいて、上側と下側のベルトの間隔はパチンコ球の直径より小さくなっており、さらに、パチンコ球が転動できない下側のベルトと筐体２１１の間には、図３５に示すように、パチンコ球の直径より小さな間隔Ｋが確保されている。従って、可動ベルト２０６Ａ，２０６Ｂの周辺でパチンコ球が詰まることが発生しない。
【００６８】
尚、本発明は上記実施の形態に限定されるものでなく、その趣旨を逸脱しない範囲で様々な変更が可能である。
例えば、第１実施の形態のパチンコ機５１及び、第２実施の形態のパチンコ機１５１、第３実施の形態のパチンコ機２５１において、モーター２１，１２１，２２１への供給電圧を測定することによって、可動ベルト５，１０６Ａ，１０６Ｂ，２０６Ａ，２０６Ｂの作動状況を確認してもよい。そして、この確認動作は、電源投入直後に行ってもよいし、パチンコ遊技処理が所定時間（例えば、０．４秒）毎に行われる割込処理で行ってもよい。
【００６９】
また、第１実施の形態のパチンコ機５１及び、第２実施の形態のパチンコ機１５１、第３実施の形態のパチンコ機２５１において、可動ベルト５，１０６Ａ，１０６Ｂ，２０６Ａ，２０６Ｂのベルトには、パチンコ球に対する摩擦を確保するために、凹凸をゴムなどで設けてもよいが、その他にも、太糸の織布や、凹凸ができるように立体的に織り込んだもの、不織布などで構成したり、多数の気泡を含んだ発砲ウレタンゴムなどで製作したものを使用してもよい。
この点、可動ベルト５，１０６Ａ，１０６Ｂ，２０６Ａ，２０６Ｂのベルトの材質としては、ゴム（ポリウレタン、ＮＢＲ、天然ゴム、ＥＰＤＭ、クロロプレンゴム、ＴＰＵ、ネオプレンなど）の単素材や、心体（綿織布、ポリエステル織布、ナイロン織布、アラミド織布、綿不織布など）や心線の上に表面材のゴムを成形したものを使用してもよい。
このようにすれば、可動ベルト５，１０６Ａ，１０６Ｂ，２０６Ａ，２０６Ｂ上を転動するパチンコ球の速度を遅くすることができるし、当該パチンコ球の転動方向に影響を与えることができる。
【００７０】
また、第１実施の形態のパチンコ機５１及び、第２実施の形態のパチンコ機１５１、第３実施の形態のパチンコ機２５１において、可動ベルト５，１０６Ａ，１０６Ｂ，２０６Ａ，２０６Ｂのベルトに対して、磁性体を貼ったり、埋め込んだり、織り込んだりすれば当該磁性体の磁力が及んだパチンコ球を役物内入賞口７や中央通路１０７，２０７から遠ざけることができる。
【００７１】
また、第２実施の形態のパチンコ機１５１において、可動ベルト１０６Ａ，１０６Ｂの正面側に、保護カバーを立設させてもよい。また、この場合には、可動ベルト１０６Ａ，１０６Ｂにおいて、上側と下側のベルトの間隔をパチンコ球の直径より小さくし、さらに、パチンコ球が転動できない下側のベルトと筐体１１１の間をも、パチンコ球の直径より小さくする。このようにすれば、可動ベルト１０６Ａ，１０６Ｂの周辺でパチンコ球が詰まることが発生しない。
【００７２】
また、第１実施の形態のパチンコ機５１において、可動ベルト５の正面側に、保護カバーを立設させてもよい。また、この場合には、可動ベルト５において、上側と下側のベルトの間隔をパチンコ球の直径より小さくし、さらに、パチンコ球が転動できない下側のベルトと筐体１１の間をも、パチンコ球の直径より小さくする。このようにすれば、可動ベルト５の周辺でパチンコ球が詰まることが発生しない。
【産業上の利用可能性】
【００７３】
本発明は、パチンコ機の役物として使用される可動ベルトの構成・制御に適用し得る。
【図面の簡単な説明】
【００７４】
【図１】第１実施形態のパチンコ機の第２種中央役物の斜視図である。
【図２】第１実施形態のパチンコ機の第２種中央役物の斜視図である。
【図３】第１実施形態のパチンコ機の第２種中央役物の筐体の三面図である。
【図４】第１実施形態のパチンコ機の第２種中央役物のモーターの三面図である。
【図５】第１実施形態のパチンコ機の第２種中央役物のプーリーの二面図である。
【図６】第１実施形態のパチンコ機の第２種中央役物のプーリーの二面図である。
【図７】第１実施形態のパチンコ機の遊技盤の正面図である。
【図８】第１実施形態のパチンコ機の遊技盤の平面図である。
【図９】第１実施形態のパチンコ機の遊技盤の側面図である。
【図１０】第１実施形態のパチンコ機の正面図である。
【図１１】第２実施形態のパチンコ機の第１種中央役物の斜視図である。
【図１２】第２実施形態のパチンコ機の第１種中央役物の筐体の三面図である。
【図１３】第２実施形態のパチンコ機の第１種中央役物のモーターの三面図である。
【図１４】第２実施形態のパチンコ機の第１種中央役物のプーリーの二面図である。
【図１５】第２実施形態のパチンコ機の第１種中央役物のプーリーの二面図である。
【図１６】第２実施形態のパチンコ機の第１種中央役物の歯車の二面図である。
【図１７】第２実施形態のパチンコ機の遊技盤の正面図である。
【図１８】第２実施形態のパチンコ機の遊技盤の平面図である。
【図１９】第２実施形態のパチンコ機の遊技盤の側面図である。
【図２０】第２実施形態のパチンコ機の遊技盤の第１種中央役物の正面図である。
【図２１】第２実施形態のパチンコ機の遊技盤の第１種中央役物の平面図である。
【図２２】第２実施形態のパチンコ機の遊技盤の第１種中央役物の側面図である。
【図２３】第２実施形態のパチンコ機の正面図である。
【図２４】第３実施形態のパチンコ機の第１種中央役物の斜視図である。
【図２５】第３実施形態のパチンコ機の第１種中央役物の筐体の三面図である。
【図２６】第３実施形態のパチンコ機の第１種中央役物のモーターの三面図である。
【図２７】第３実施形態のパチンコ機の第１種中央役物のプーリーの二面図である。
【図２８】第３実施形態のパチンコ機の第１種中央役物のプーリーの二面図である。
【図２９】第３実施形態のパチンコ機の第１種中央役物の歯車の二面図である。
【図３０】第３実施形態のパチンコ機の遊技盤の正面図である。
【図３１】第３実施形態のパチンコ機の遊技盤の平面図である。
【図３２】第３実施形態のパチンコ機の遊技盤の側面図である。
【図３３】第３実施形態のパチンコ機の遊技盤の第１種中央役物の正面図である。
【図３４】第３実施形態のパチンコ機の遊技盤の第１種中央役物の平面図である。
【図３５】第３実施形態のパチンコ機の遊技盤の第１種中央役物の側面図である。
【図３６】第３実施形態のパチンコ機の正面図である。
【符号の説明】
【００７５】
１  中央役物
２Ａ，２Ｂ  開閉翼
３  受皿
４  背面通路
５  可動ベルト
６  第２種Ｖゾーン
７  役物内入賞口
２１  モーター
３１  プーリー
３２  プーリー
５１  パチンコ機
５３  ガラス
１０１  中央役物
１０３Ａ，１０３Ｂ  ワープ入口
１０４Ａ，１０４Ｂ  ワープ通路
１０５Ａ，１０５Ｂ  ワープ出口
１０６Ａ，１０６Ｂ  可動ベルト
１０７  中央通路
１２１  モーター
１３１  プーリー
１４１  プーリー
１５１  歯車
１５１  パチンコ機
１５３  ガラス
２０１  中央役物
２０３Ａ，２０３Ｂ  ワープ入口
２０４Ａ，２０４Ｂ  ワープ通路
２０５Ａ，２０５Ｂ  ワープ出口
２０６Ａ，２０６Ｂ  可動ベルト
２０７  中央通路
２２１  モーター
２３１  プーリー
２４１  プーリー
２５１  歯車
２５１  パチンコ機
２５３  ガラス
【図１】
2005334366.tif 000003
【図２】
2005334366.tif 000004
【図３】
2005334366.tif 000005
【図４】
2005334366.tif 000006
【図５】
2005334366.tif 000007
【図６】
2005334366.tif 000008
【図７】
2005334366.tif 000009
【図８】
2005334366.tif 000010
【図９】
2005334366.tif 000011
【図１０】
2005334366.tif 000012
【図１１】
2005334366.tif 000013
【図１２】
2005334366.tif 000014
【図１３】
2005334366.tif 000015
【図１４】
2005334366.tif 000016
【図１５】
2005334366.tif 000017
【図１６】
2005334366.tif 000018
【図１７】
2005334366.tif 000019
【図１８】
2005334366.tif 000020
【図１９】
2005334366.tif 000021
【図２０】
2005334366.tif 000022
【図２１】
2005334366.tif 000023
【図２２】
2005334366.tif 000024
【図２３】
2005334366.tif 000025
【図２４】
2005334366.tif 000026
【図２５】
2005334366.tif 000027
【図２６】
2005334366.tif 000028
【図２７】
2005334366.tif 000029
【図２８】
2005334366.tif 000030
【図２９】
2005334366.tif 000031
【図３０】
2005334366.tif 000032
【図３１】
2005334366.tif 000033
【図３２】
2005334366.tif 000034
【図３３】
2005334366.tif 000035
【図３４】
2005334366.tif 000036
【図３５】
2005334366.tif 000037
【図３６】
2005334366.tif 000038